(57)【特許請求の範囲】
【請求項１】
直流電源の出力端間に負荷を介して接続されたインダクタ及びスイッチング素子の直列回路と、
前記スイッチング素子がオンのときに前記インダクタに蓄積させたエネルギーを、前記スイッチング素子がオフのときに前記負荷に回生させるダイオードと、
前記スイッチング素子のオン／オフを制御する制御回路部とを備え、
前記制御回路部は、負荷電流の振幅に応じてパルス幅が変化する駆動信号を発生する駆動信号発生部を具備し、前記駆動信号よりも低周波であって調光レベルに応じてオンデューティが変化するＰＷＭ信号のオン期間又はオフ期間において前記駆動信号により前記スイッチング素子のオン／オフを制御し、
前記制御回路部は、前記スイッチング素子のオンデューティの逆数が１より大きく且つ２．５以下となるように、前記スイッチング素子のオン／オフを制御し、
前記直流電源は、前記負荷に印加される負荷電圧の検出結果がフィードバックされ、出力電圧を前記検出結果に比例した電圧に制御するＡＣ−ＤＣコンバータ又はＤＣ−ＤＣコンバータからなり、前記負荷電圧を検出して前記直流電源にフィードバックする電圧検出部を備えていることを特徴とする固体発光素子点灯装置。
【請求項２】
前記制御回路部は、前記インダクタに流れる電流がゼロになったことを検出するゼロ電流検出回路を具備し、前記ゼロ電流検出回路の検出タイミングに合わせて前記スイッチング素子をオフからオンに切り替えることを特徴とする請求項１記載の固体発光素子点灯装置。
【請求項３】
前記制御回路部は、前記スイッチング素子がオフのときに前記インダクタに流れる電流がゼロになる前に前記スイッチング素子をオンに切り替えることを特徴とする請求項１記載の固体発光素子点灯装置。
【請求項４】
前記直流電源はＡＣ−ＤＣコンバータからなり、前記ＰＷＭ信号の周波数が６００Ｈｚ又は６００Ｈｚの倍数に設定されていることを特徴とする請求項１〜３の何れか１項に記載の固体発光素子点灯装置。
【請求項５】
請求項１〜４の何れか１項に記載の固体発光素子点灯装置と、前記固体発光素子点灯装置から点灯電力が供給される固体発光素子とを備えていることを特徴とする照明器具。
【発明の詳細な説明】
【技術分野】
【０００１】
本発明は、固体発光素子点灯装置及びそれを用いた照明器具に関するものである。
【背景技術】
【０００２】
従来より、ＬＥＤ照明モジュールに点灯電力を供給するＬＥＤ点灯装置が提供されている（例えば特許文献１参照）。このＬＥＤ点灯装置は、図７に示すように、ＬＥＤ照明モジュール１０４に直列に接続されて高周波パルスの低周波バーストからなるデュアル信号に従ってオン／オフする制御スイッチＱ３と、同様にＬＥＤ照明モジュール１０４に直列に接続されて制御スイッチＱ３のオン時にエネルギーを蓄積するインダクタＬ２と、インダクタＬ２に蓄積させたエネルギーを制御スイッチＱ３のオフ時にＬＥＤ照明モジュール１０４に回生させるダイオードＤ２とを備える。上記のデュアル信号は、制御スイッチＱ３への高周波駆動パルスと低周波のＰＷＭ信号のＡＮＤ出力であり、ＰＷＭ信号のデューティ比を変化させることでＬＥＤ照明モジュール１０４に流れる平均電流を変化させ、ＬＥＤ照明モジュール１０４から出力される光強度を変化させている（所謂バースト調光）。
【先行技術文献】
【特許文献】
【０００３】
【特許文献１】特表２００６−５１１０７８号公報（段落［００１５］−段落［００１７］、及び、第７図−第９図）
【発明の概要】
【発明が解決しようとする課題】
【０００４】
上述の特許文献１に示したＬＥＤ点灯装置では、制御スイッチＱ３への高周波駆動パルスは低周波のＰＷＭ信号とのＡＮＤ出力であり、制御スイッチＱ３がオンのときに上記のＰＷＭ信号のエッジが入力されると制御スイッチＱ３への駆動パルスはＬｏｗになる。つまり、低周波のＰＷＭ信号の変化によって制御スイッチＱ３のオン期間が変化し、それに応じてＬＥＤ電流、すなわちＬＥＤ照明モジュール１０４の光出力が変化するのである。一方、制御スイッチＱ３がオフの期間では、インダクタＬ２の回生電流がダイオードＤ２を介してＬＥＤ照明モジュール１０４に流れるが、この期間では上記のＰＷＭ信号が変化してもＬＥＤ電流は変化しない。つまり、ＰＷＭ信号を変化させているにもかかわらず、ＬＥＤモジュール１０４の光出力は変化しないのである。
【０００５】
図８は制御スイッチＱ３を臨界モード（インダクタＬ２に流れる電流がゼロになるタイミングで制御スイッチＱ３をオフからオンに切り替えるモード）で動作させた場合のタイムチャートである。図８に示すようにＰＷＭ信号が実線から破線に変化した場合、つまりＰＷＭ信号のオン期間が長くなった場合、ＬＥＤ照明モジュール１０４の負荷電流Ｉ１は駆動信号の１周期分増加することになる（図８中の破線部）。また、入力電圧と出力電圧の差が大きいほど制御スイッチＱ３がオンのときの電流の傾きが急峻になるため、同じ出力を得る場合にはオン期間が短くなり、その分、制御スイッチＱ３のオフ期間が長くなって回生期間が延びることになる（図８中の駆動信号参照）。
【０００６】
したがって、例えば上記のＰＷＭ信号のデューティをスイープさせて調光レベルを滑らかに変化させようとした場合でも、制御スイッチＱ３のオフ期間は光出力が変化しないことから、デューティ変化に対する光出力は図９に示すような階段状になる。そして、１段分の光出力差は制御スイッチＱ３の高周波駆動パルス１周期分の光出力に相当することから、光出力が段階的に変化するのが目視できてしまう。特に、低光束状態ではスイープ時の光出力の変化割合が大きいため、より顕著に現れることになる。
【０００７】
上述のように、入力電圧と出力電圧の差が大きい場合には、ＰＷＭ信号のスイープ時において光出力が変化しない期間の割合が大きくなり、その結果、光出力が段階的に変化するように見えてしまうという問題があった。
【０００８】
本発明は上記問題点に鑑みて為されたものであり、その目的とするところは、調光用のＰＷＭ信号のスイープ時に光出力を滑らかに変化させることができる固体発光素子点灯装置及びそれを用いた照明器具を提供することにある。
【課題を解決するための手段】
【０００９】
本発明の固体発光素子点灯装置は、直流電源の出力端間に負荷を介して接続されたインダクタ及びスイッチング素子の直列回路と、スイッチング素子がオンのときにインダクタに蓄積させたエネルギーを、スイッチング素子がオフのときに負荷に回生させるダイオードと、スイッチング素子のオン／オフを制御する制御回路部とを備え、制御回路部は、負荷電流の振幅に応じてパルス幅が変化する駆動信号を発生する駆動信号発生部を具備し、駆動信号よりも低周波であって調光レベルに応じてオンデューティが変化するＰＷＭ信号のオン期間又はオフ期間において駆動信号によりスイッチング素子のオン／オフを制御し、制御回路部は、スイッチング素子のオンデューティの逆数が１より大きく且つ２．５以下となるように、スイッチング素子のオン／オフを制御し、直流電源は、負荷に印加される負荷電圧の検出結果がフィードバックされ、出力電圧を検出結果に比例した電圧に制御するＡＣ−ＤＣコンバータ又はＤＣ−ＤＣコンバータからなり、負荷電圧を検出して直流電源にフィードバックする電圧検出部を備えていることを特徴とする。
【００１０】
この固体発光素子点灯装置において、制御回路部は、インダクタに流れる電流がゼロになったことを検出するゼロ電流検出回路を具備し、ゼロ電流検出回路の検出タイミングに合わせてスイッチング素子をオフからオンに切り替えるのが好ましい。
【００１１】
また、この固体発光素子点灯装置において、制御回路部は、スイッチング素子がオフのときにインダクタに流れる電流がゼロになる前にスイッチング素子をオンに切り替えるのも好ましい。
【００１３】
また、この固体発光素子点灯装置において、直流電源はＡＣ−ＤＣコンバータからなり、ＰＷＭ信号の周波数が６００Ｈｚ又は６００Ｈｚの倍数に設定されているのも好ましい。
【００１４】
本発明の照明器具は、上記の固体発光素子点灯装置と、固体発光素子点灯装置から点灯電力が供給される固体発光素子とを備えていることを特徴とする。
【発明の効果】
【００１５】
調光用のＰＷＭ信号のスイープ時に光出力を滑らかに変化させることができる固体発光素子点灯装置及び照明器具を提供することができるという効果がある。
【図面の簡単な説明】
【００１６】
【図１】実施形態１のＬＥＤ点灯装置を示す概略回路図である。
【図２】同上の動作を説明するためのタイムチャートである。
【図３】同上の動作を説明するためのグラフである。
【図４】同上の別の例を示す概略回路図である。
【図５】実施形態２のＬＥＤ点灯装置を示す概略回路図である。
【図６】同上の別の例を示す概略回路図である。
【図７】従来のＬＥＤ点灯装置を示す概略回路図である。
【図８】同上の動作を説明するためのタイムチャートである。
【図９】同上の動作を説明するためのグラフである。
【発明を実施するための形態】
【００１７】
以下に、ＬＥＤ点灯装置を用いた照明器具の実施形態を図面に基づいて説明する。
【００１８】
（実施形態１）
図１は実施形態１のＬＥＤ点灯装置（固体発光素子点灯装置）を示す概略回路図である。このＬＥＤ点灯装置は、直流電源１の出力電圧を所望の電圧値の直流電圧に降圧する降圧チョッパ回路部２と、降圧チョッパ回路部２を構成する後述のスイッチング素子Ｑ１のオン／オフを制御する制御回路部３とを備える。また、本実施形態の照明器具は、ＬＥＤ点灯装置と、ＬＥＤ点灯装置から点灯電力が供給されるＬＥＤモジュール（固体発光素子、負荷）４とを備える。なお、本実施形態では、ＬＥＤモジュール４を３個のＬＥＤ（発光ダイオード）で構成しているが、ＬＥＤの個数は本実施形態に限定されるものではなく、１個又は２個でもいいし、４個以上でもよい。
【００１９】
降圧チョッパ回路部２は、直流電源１の出力端間にＬＥＤモジュール４を介して接続されたインダクタＬ１及びスイッチング素子Ｑ１の直列回路と、スイッチング素子Ｑ１がオンのときにインダクタＬ１に蓄積させたエネルギーを、スイッチング素子Ｑ１がオフのときにＬＥＤモジュール４に回生させるダイオードＤ１とで構成される。
【００２０】
制御回路部３は、発振停止時において駆動パルスを発生させるための起動信号を一定間隔で出力するスターター３２と、インダクタＬ１の二次巻線Ｎ２に流れる電流がゼロになったことを検出するゼロ電流検出回路３１と、スイッチング素子Ｑ１をオン／オフさせる駆動パルスを発生する駆動パルス発生部３４とを備える。また、制御回路部３は、駆動パルス発生部３４からの駆動パルスを受けてスイッチング素子Ｑ１を駆動させる駆動回路３３と、スイッチング素子Ｑ１に流れる電流が基準値に達すると駆動パルス発生部３４にリセット信号を出力する比較器３５とを備える。
【００２１】
本実施形態では、駆動パルス発生部３４がＲＳフリップフロップで構成されており、このＲＳフリップフロップのセット端子には、ゼロ電流検出回路３１の検出信号とスターター３２の起動信号のＯＲ出力がＯＲ回路３６を介して入力され、セット信号が入力されると駆動パルス発生部３４の出力がＨｉｇｈになる。また、比較器３５からリセット信号が入力されると駆動パルス発生部３４の出力がＬｏｗになり、駆動パルス発生部３４からはＨｉｇｈとＬｏｗが交互に繰り返される高周波の駆動パルスが出力される。
【００２２】
また、駆動回路３３には、駆動パルス発生部３４から出力される高周波の駆動パルスと、この駆動パルスよりも低周波のＰＷＭ信号のＡＮＤ出力がＡＮＤ回路３７を介して入力され、このＡＮＤ出力に従って駆動回路３３はスイッチング素子Ｑ１のオン／オフを制御する。ここで、上記の駆動パルスはＬＥＤモジュール４に流れる負荷電流の振幅に応じてパルス幅が変化し、また上記のＰＷＭ信号は調光レベルに応じてオンデューティが変化する。なお、図１中の抵抗Ｒ１は、スイッチング素子Ｑ１に流れる電流を検出するための電流検出用の抵抗である。
【００２３】
次に、ＬＥＤ点灯装置の動作について説明する。上記のＰＷＭ信号がＨｉｇｈのときに、スターター３２又はゼロ電流検出回路３１からの出力信号によって駆動パルス発生部３４にセット信号が入力されると、駆動パルス発生部３４の出力がＨｉｇｈになり、駆動回路３３を介してスイッチング素子Ｑ１がオンになることから、ＬＥＤモジュール４に電流が流れて点灯する。このとき、スイッチング素子Ｑ１に流れる負荷電流Ｉ１の時間変化は以下のように表される。
【数１】
0005821023.tif 000002
ここで、（１）式中のＶｏｕｔは直流電源１の出力電圧、Ｖ１はＬＥＤモジュール４の負荷電圧、ｔは経過時間、Ｌ１はインダクタのインピーダンスを表し、スイッチング素子Ｑ１のオン開始時がｔ＝０である。
【００２４】
抵抗Ｒ１の両端電圧（つまりＩ１×Ｒ１）が基準電圧Ｖｒｅｆに達すると、比較器３５の出力が反転し、駆動パルス発生部３４にリセット信号が入力され、駆動パルス発生部３４の出力がＬｏｗとなり、スイッチング素子Ｑ１がオフになる。スイッチング素子Ｑ１がオフになると、インダクタＬ１に蓄積されたエネルギーがダイオードＤ１を介してＬＥＤモジュール４に回生されるため、回生電流によりＬＥＤモジュール４が点灯する。このとき、インダクタＬ１に流れる電流Ｉ２の時間変化は以下のように表される。
【数２】
0005821023.tif 000003
ここで、（２）式中のＴｏｎはスイッチング素子Ｑ１のオン期間、ＩｄｐはインダクタＬ１に流れるピーク電流を表している。
【００２５】
そして、スイッチング素子Ｑ１がオフのときにインダクタＬ１に流れる電流Ｉ２が０になり、インダクタＬ１の作用により電流が反転すると、スイッチング素子Ｑ１に充電されている電荷が放電される。その結果、スイッチング素子Ｑ１のドレイン−ソース間の電圧が低下し、インダクタＬ１の電圧が反転することになる。この電圧反転をゼロ電流検出回路３１が検出し、駆動パルス発生部３４にセット信号を出力することで、インダクタＬ１に流れる電流Ｉ２のゼロ付近で再びスイッチング素子Ｑ１がオンになる。そして、これら一連の動作を繰り返すことによって、チョッパ動作を行うのである。ここで、本実施形態では、インダクタＬ１に流れる電流Ｉ２がゼロになるタイミングでスイッチング素子Ｑ１をオフからオンに切り替えており、このモードを臨界モードという。
【００２６】
一方、上記のＰＷＭ信号がＬｏｗになると、駆動回路３３に駆動パルスが入力されなくなるため、この期間は発振停止、つまりＬＥＤモジュール４が消灯した状態になる。そして、上記のＰＷＭ信号のオンデューティを変化させることで、ＬＥＤモジュール４の点灯状態と消灯状態の割合を変化させ、その結果、ＬＥＤモジュール４の出力を制御することができる。
【００２７】
ところで、スイッチング素子Ｑ１のオフ期間に上記のＰＷＭ信号を変化させても、ＬＥＤモジュール４に流れる負荷電流Ｉ１は変化しない。つまり、ＰＷＭ信号のオンデューティを変化させてもＬＥＤモジュール４の光出力は変化しないのである。ここで、（１）式及び（２）式よりスイッチング素子Ｑ１のオン期間Ｔｏｎ及びオフ期間Ｔｏｆｆは以下のように表される。
【数３】
0005821023.tif 000004
【数４】
0005821023.tif 000005
そして、（３）式及び（４）式よりスイッチング素子Ｑ１のオンデューティＤｏｎは以下のように表される。
【数５】
0005821023.tif 000006
（５）式よりスイッチング素子Ｑ１のオンデューティは、直流電源１の出力電圧ＶｏｕｔとＬＥＤモジュール４の負荷電圧Ｖ１のみで決定されることが分かる。
【００２８】
ここで、直流電源１の出力電圧Ｖｏｕｔ＝Ｋ×Ｖ１と定義すると、（５）式よりＫ＝１／Ｄｏｎとなる。図２は本実施形態のＬＥＤ点灯装置の動作を説明するタイムチャートであり、Ｋ＝１．２の場合を示している。図８と比較して分かるように、この場合スイッチング素子Ｑ１のオフ期間Ｔｏｆｆがオン期間Ｔｏｎに比べて非常に短いため、例えば実線から破線のようにＰＷＭ信号が変化してもＬＥＤモジュール４の負荷電流Ｉ１の増加は小さく、光出力の急峻な変化が抑えられる。
【００２９】
図３はＰＷＭ信号のデューティ比に対する光出力の変化を示し、図３中の実線ｂは上述した従来のＬＥＤ点灯装置を示しており、この場合、Ｋ＝１０に相当する。また、図３中の一点鎖線ｃはＫ＝１．１に相当し、このとき光出力はデューティ比の変化に応じて略連続的に変化し、極めて深い調光レベルであっても光出力が段階的に変化するのを低減することができる。さらに、図３中の破線ｄはＫ＝２．５に相当し、このとき光出力が一定となる期間が６割程度あるものの、光出力変化はＫ＝１０の場合に比べて緩やかである。この場合、ＬＥＤモジュール４を直視した場合には光出力が段階的に変化するように見えてしまうが、光の照射面においてはちらつきとして認識されないレベルであった。一方、Ｋ＞２．５になると、上記の照射面においてちらつきとして認識されてしまうため、直流電源１の出力電圧ＶｏｕｔはＬＥＤモジュール４の負荷電圧Ｖ１の２．５倍以下に設定するのが好ましい。また、出力電圧Ｖｏｕｔの下限値は、降圧チョッパ動作を成立させるためにＫ＞１であることが必要があり、１＜Ｋ≦２．５とするのが好ましい。さらに、ＬＥＤの温度特性による負荷電圧Ｖ１の変化などを考慮すると、１．２≦Ｋ≦２．５とするのがより好ましい。
【００３０】
次に、図４は本実施形態のＬＥＤ点灯装置の別の例を示す概略回路図である。図１に示した例では、ＡＮＤ回路３７を用いて駆動パルス発生部３４の駆動パルスとＰＷＭ信号のＡＮＤ出力を駆動回路３３に出力しているが、本例では、抵抗Ｒ１の電圧にＰＷＭ信号を重畳させたものを基準電圧Ｖｒｅｆと比較し、基準電圧Ｖｒｅｆを超えた場合に駆動パルス発生部３４にリセット信号を出力している。なお、それ以外の構成は図１と同様であり、同一の構成要素には同一の符号を付して説明を省略する。
【００３１】
本構成によれば、ＰＷＭ信号がＬｏｗのときは比較器３５に基準電圧Ｖｒｅｆ以上の信号が入力されるため、駆動パルス発生部３４にはリセット信号が入力され続けることになる。したがって、このとき駆動回路３３には駆動パルスが入力されず、スイッチング素子Ｑ１はオフのままである。一方、ＰＷＭ信号がＨｉｇｈのときは、図１で示したＬＥＤ点灯装置と同様に、スターター３２又はゼロ電流検出回路３１からの出力信号が入力されることで、駆動パルス発生部３４の出力がＨｉｇｈになり、駆動回路３３を介してスイッチング素子Ｑ１がオンにされる。そして、スイッチング素子Ｑ１に流れる負荷電流Ｉ１が増加し、抵抗Ｒ２を介して比較器３５に入力される信号が基準電圧Ｖｒｅｆ以上になると、比較器３５がリセット信号を出力するため、駆動パルス発生部３４の出力がＬｏｗになり、スイッチング素子Ｑ１がオフにされる。つまり、ＰＷＭ信号がＨｉｇｈのときは、図１で示したＬＥＤ点灯装置と同様に、駆動パルス発生部３４からの駆動パルスによりスイッチング素子Ｑ１のオン／オフが制御される。また、本構成とすることで、制御回路部３として汎用のＰＦＣ用ＩＣ（オンセミコンダクター社製：ＭＣ３３２６２、ＳＴマイクロエレクトロニクス社製：Ｌ６５６２など）を使用することができ、その結果、部品点数を減らすことができる。
【００３２】
而して、本実施形態によれば、直流電源１の出力電圧ＶｏｕｔをＬＥＤモジュール４の負荷電圧Ｖ１の１倍よりも大きく且つ２．５倍以下に設定することによって、上記のＰＷＭ信号のデューティ比を変えても光出力が変化しないオフ期間Ｔｏｆｆを短くすることができ、その結果、ＰＷＭ信号のスイープ時に光出力を滑らかに変化させることができる。また、ゼロ電流検出回路３１の検出タイミングに合わせてスイッチング素子Ｑ１をオンに切り替えることで、スイッチング素子Ｑ１のオン／オフ制御を確実に行うことができる。さらに、本実施形態のＬＥＤ点灯装置を用いることによって、ＰＷＭ信号のスイープ時に光出力を滑らかに変化させることができる照明器具を提供することができる。
【００３３】
ここにおいて、本実施形態では、スイッチング素子Ｑ１を臨界モードで制御しているが、例えばスイッチング素子Ｑ１がオフのときにインダクタＬ１に流れる電流Ｉ２がゼロになる前（Ｉ２＞０）にスイッチング素子Ｑ１をオンに切り替える連続モードでスイッチング素子Ｑ１を制御してもよい。この場合も直流電源１の出力電圧ＶｏｕｔをＬＥＤモジュール４の負荷電圧Ｖ１の１倍よりも大きく且つ２．５倍以下に設定することによって、ＰＷＭ信号のスイープ時に光出力を滑らかに変化させることができ、しかもスイッチング素子Ｑ１のオン／オフ制御を確実に行うことができる。なお、不連続モード（インダクタＬ１に流れる電流Ｉ２がゼロになる期間がある動作モード）でスイッチング素子Ｑ１を制御した場合には、スイッチング素子Ｑ１のオフ期間が長くなるため、上記の臨界モードや連続モードに対して不利ではあるが、光出力の変化を緩やかにすることができるという利点がある。
【００３４】
（実施形態２）
ＬＥＤ点灯装置を用いた照明器具の実施形態２を図５及び図６に基づいて説明する。本実施形態では、直流電源１をＡＣ−ＤＣコンバータで構成し、さらにこのＡＣ−ＤＣコンバータにＬＥＤモジュール４の負荷電圧Ｖ１をフィードバックさせている点で実施形態１と異なっている。なお、それ以外の構成は実施形態１と同様であり、同一の構成要素には同一の符号を付して説明を省略する。
【００３５】
本実施形態のＬＥＤ点灯装置は、降圧チョッパ回路部２と、制御回路部３と、ＬＥＤモジュール４の負荷電圧Ｖ１を検出して直流電源１にフィードバックする電圧検出部６とを備える。
【００３６】
直流電源１は、商用交流電源５の交流出力を所望の電圧値の直流電圧に変換するＡＣ−ＤＣコンバータからなり、出力電圧ＶｏｕｔとＬＥＤモジュール４の負荷電圧Ｖ１を比較し、その誤差を増幅して出力する誤差増幅器１２と、誤差増幅器１２の出力値に従ってスイッチング素子Ｑ２のオン／オフを制御する制御回路１１とを備える。
【００３７】
ここにおいて、本実施形態では、電圧検出部６がＬＥＤモジュール４の負荷電圧Ｖ１を検出して直流電源１にフィードバックさせており、直流電源１では、出力電圧Ｖｏｕｔが、フィードバックされた負荷電圧Ｖ１のＭ倍となるようにフィードバック制御を行っている。したがって、実施形態１と同様に、１＜Ｍ≦２．５に設定することによって、ＰＷＭ信号のデューティ比を変えても光出力が変化しないオフ期間Ｔｏｆｆを短くすることができ、その結果、ＰＷＭ信号のスイープ時に光出力を滑らかに変化させることができる。また、本実施形態のように、負荷電圧Ｖ１を直流電源１にフィードバックさせることで、負荷電圧Ｖ１が変動した場合でも直流電源１の出力電圧ＶｏｕｔとＬＥＤモジュール４の負荷電圧Ｖ１の関係を一定に保つことができ、その結果、ＰＷＭ信号に対してより線形に近い光出力変化を実現することができる。なお、スイッチング素子Ｑ１のオンデューティは１／Ｍであり、Ｍが１に近いほど照度変化が滑らかになる。
【００３８】
ところで、本実施形態のようにＡＣ−ＤＣコンバータを用いた場合には、電解コンデンサＣ１の容量などにより出力電圧Ｖｏｕｔに１００Ｈｚ／１２０Ｈｚのリプルが現れ、このリプルとＰＷＭ信号の周波数が干渉することでＬＥＤモジュール４の光出力にちらつきが生じる場合がある。これを回避するためには、ＰＷＭ信号の周波数を６００Ｈｚ又は６００Ｈｚの倍数に設定するのが好ましく、その結果、１００Ｈｚ／１２０Ｈｚ何れの場合であってもリプルの干渉を抑えることができ、ちらつきを抑えた略一定の光出力を得ることができる。
【００３９】
また、図６は本実施形態のＬＥＤ点灯装置の別の例を示す概略回路図であり、本例では図５中のＡＣ−ＤＣコンバータ及び電圧検出部６の図示を省略してある。図６に示す例では、ＬＥＤモジュール４と並列に電解コンデンサＣ２を接続しており、この電解コンデンサＣ２によってＬＥＤモジュール４に流れる電流のリプルを小さくすることができ、その結果、光出力のちらつきを抑えることができる。さらに、本実施形態のＬＥＤ点灯装置を用いることによって、ＰＷＭ信号のスイープ時に光出力を滑らかに変化させることができる照明器具を提供することができる。
【００４０】
ここにおいて、本実施形態では、直流電源１をＡＣ−ＤＣコンバータで構成しているが、ＤＣ−ＤＣコンバータであってもよい。また、本実施形態では、直流電源１の低圧側に降圧チョッパ回路部２を設けているが、直流電源１の高圧側に降圧チョッパ回路部２を設けてもよい。さらに、上述の実施形態１，２ではＬＥＤを負荷としたＬＥＤ点灯装置を例に説明したが、負荷は固体発光素子であればよく、例えば有機ＥＬでもよい。また、上述の実施形態１，２では、ＰＷＭ信号のオン期間において駆動パルスによりスイッチング素子Ｑ１のオン／オフを制御しているが（図２参照）、ＰＷＭ信号のオフ期間において駆動パルスによりスイッチング素子Ｑ１のオン／オフを制御してもよい。なお、この場合、調光レベルに合わせてＰＷＭ信号のオフ期間の長さを設定する必要がある。
【符号の説明】
【００４１】
１  直流電源
３  制御回路部
４  ＬＥＤモジュール（固体発光素子、負荷）
３４  駆動パルス発生部
Ｄ１  ダイオード
Ｌ１  インダクタ
Ｑ１  スイッチング素子
【図１】
0005821023.tif 000007
【図２】
0005821023.tif 000008
【図３】
0005821023.tif 000009
【図４】
0005821023.tif 000010
【図５】
0005821023.tif 000011
【図６】
0005821023.tif 000012
【図７】
0005821023.tif 000013
【図８】
0005821023.tif 000014
【図９】
0005821023.tif 000015